(57)【要約】【課題】デザイン性、強度、小型化を図ることができる携帯型電子機器を提供すること。【解決手段】本発明の携帯型電子機器は、筺体と、当該筺体に装着され、機器の最外面に位置するカバー部材と、を備えると共に、所定の紐体を引っ掛ける引っ掛け部と、当該引っ掛け部に引っ掛けられた紐体を挿通可能な環状部と、が一体的に形成された紐体用フレームを、筺体に固定装備してカバー部材の内部に配置し、カバー部材の周囲付近に、環状部が位置するよう紐体用フレームを配置すると共に、当該紐体用フレームの環状部に挿通された紐体を、カバー部材の周囲から外部に露出可能なよう構成した。【選択図】図８
2014099787.tif 000002
【特許請求の範囲】
【請求項１】
筺体と、
前記筺体に装着され、機器の最外面に位置するカバー部材と、を備えると共に、
所定の紐体を引っ掛ける引っ掛け部と、当該引っ掛け部に引っ掛けられた前記紐体を挿通可能な環状部と、が一体的に形成された紐体用フレームを、前記筺体に固定装備して前記カバー部材の内部に配置し、
前記カバー部材の周囲付近に、前記環状部が位置するよう前記紐体用フレームを配置すると共に、当該紐体用フレームの前記環状部に挿通された前記紐体を、前記カバー部材の周囲から外部に露出可能なよう構成した、
携帯型電子機器。
【請求項２】
請求項１に記載の携帯型電子機器であって、
前記カバー部材に隣接して前記筺体に装着される第２のカバー部材を備え、
前記紐体用フレームの前記環状部が位置する前記カバー部材の周囲箇所に隣接する前記第２のカバー部材の周囲箇所に、前記紐体が挿通される切り欠き部を形成した、
携帯型電子機器。
【請求項３】
請求項１又は２に記載の携帯型電子機器であって、
前記紐体用フレームと前記筺体との間に所定の部品を介挿して、前記紐体用フレームを前記筺体に固定装備した、
携帯型電子機器。
【請求項４】
請求項３に記載の携帯型電子機器であって、
前記筐体の内部に収容された基板に接続されたアンテナ接点を前記筺体の外部に露出させるアンテナ接点用穴部を、当該筺体に形成すると共に、
前記紐体用フレームと、前記筺体の前記アンテナ接点用穴部の形成箇所と、の間にアンテナを介挿して前記紐体用フレームを前記筺体に固定装備することで、前記筺体の前記アンテナ接点用穴部から露出された前記アンテナ接点と前記アンテナとを接続するよう構成した、
携帯型電子機器。
【請求項５】
請求項４に記載の携帯型電子機器であって、
前記筺体の前記アンテナ接点用穴部の形成箇所の周囲と前記アンテナとの間に、防水シール部材を設けた、
携帯型電子機器。
【請求項６】
請求項３乃至５のいずれかに記載の携帯型電子機器であって、
前記紐体用フレームを前記筺体に対して圧着固定した、
携帯型電子機器。
【請求項７】
筺体と、前記筺体に装着され機器の最外面に位置するカバー部材と、を備える携帯型電子機器の組み付け方法であって、
所定の紐体を引っ掛ける引っ掛け部と、当該引っ掛け部に引っ掛けられた前記紐体を挿通可能な環状部と、が一体的に形成された紐体用フレームを、当該紐体用フレームの前記環状部が前記カバー部材の周囲付近に位置するよう配置して、前記筺体に固定装備し、
前記紐体用フレームが前記カバー部材の内部に位置するよう当該カバー部材を前記筺体に装着する、
携帯型電子機器の組み付け方法。
【請求項８】
請求項７に記載の携帯型電子機器の組み付け方法であって、
前記紐体用フレームと前記筺体との間に所定の部品を介挿して、前記紐体用フレームを前記筺体に固定装備する、
携帯型電子機器の組み付け方法。
【請求項９】
請求項８に記載の携帯型電子機器の組み付け方法であって、
前記筐体の内部に収容された基板に接続されたアンテナ接点を、前記筺体に形成されたアンテナ接点用穴部から外部に露出させ、
前記紐体用フレームと、前記筺体の前記アンテナ接点用穴部の形成箇所と、の間にアンテナを介挿して、前記紐体用フレームを前記筺体に固定装備することで、前記筺体の前記アンテナ接点用穴部から露出された前記アンテナ接点と前記アンテナとを接続する、
携帯型電子機器の組み付け方法。
【請求項１０】
請求項９に記載の携帯型電子機器の組み付け方法であって、
前記紐体用フレームと、前記筺体の前記アンテナ接点用穴部の形成箇所と、の間にアンテナを介挿すると共に、前記筺体の前記アンテナ接点用穴部の形成箇所の周囲と前記アンテナとの間に防水シール部材を介挿して、前記紐体用フレームを前記筺体に固定装備する、
携帯型電子機器の組み付け方法。
【発明の詳細な説明】
【技術分野】
【０００１】
本発明は、携帯型電子機器にかかり、特に、ストラップ取り付け部を有する携帯型電子機器に関する。
【背景技術】
【０００２】
近年、携帯電話機など携帯型電子機器は急速に普及しているため飽和状態にある。それに伴い、携帯型電子機器は、小型、軽量薄型化、防水化が進み、かつ、コスト競争が激化している。このため、デザインかつ、装置サイズにおいて他社と差別化を図り、商品性を高める必要性がある。
【０００３】
そして、携帯型電子機器には、落下防止や装飾のためにストラップを取り付け可能なよう構成されているが、かかる構造においても、更なる小型化、薄型化を図ると共に、デザイン性の向上が望まれている。
【０００４】
ここで、携帯型電子機器にストラップを取り付ける構造として、例えば、特許文献１に開示の構造がある。特許文献１に開示のストラップ取り付け構造では、当該特許文献１の図１に示すように、まず、リアケースとフロントケースを締結している締結部にストラップの環状先端部を嵌め込み、ストラップの先端部に後続する部分を横方向からフックに引っかける。そして、バッテリー及びバッテリー蓋体を装着し、当該バッテリー蓋体の切り欠き開口部からストラップを外部に引き出す、という構成とっている。
【０００５】
ところが、上述したストラップ取り付け構造では、フックからストラップが外れるおそれがあり、外れたストラップがバッテリー蓋体の方向に引っ張られると、当該バッテリー蓋体が外れるおそれがある、という問題が生じる。
【０００６】
また、携帯型電子機器にストラップを取り付ける構造として、例えば、図１乃至図５に開示のものがある。図１は、携帯電話機の外観を示す図であり、図２は、ストラップ用の穴の位置を示す図である。図３は、携帯電話機から電池カバーを取り外したときのストラップ取り付け構造を示す。図４は、携帯電話機のストラップ取り付け構造部分の断面図であり、図５はその拡大図である。
【先行技術文献】
【特許文献】
【０００７】
【特許文献１】特開２００６−１７３２６８号公報
【発明の概要】
【発明が解決しようとする課題】
【０００８】
そして、図１乃至図５に示すストラップ取り付け構造は、図２や図５に示すように、ストラップ用の穴部とストラップである紐を引掛けるリブとの強度確保のため、ストラップ用の穴部をリアケース１２０の側面に形成している。ところが、デザインの変更などにより、ストラップ用の穴部を電池カバー１３０側へ移動すると、穴部とリアケース１２０のリブ強度が弱くなるか、電池カバー１３０のデザイン（割り線位置）を現状より切り欠かなくてはならない。また、穴部をフロントケース１１０側へ移動すると穴部自体を実装することができなくなってしまう。
【０００９】
以上のように、図１乃至図５に示すストラップ取り付け構造によると、穴部の強度とデザイン性を両立させ、ストラップ取り付け箇所にデザインの幅を持たせることができない、という問題が生じる。さらに、リアケースでストラップ取り付け構造の部位を形成しているため、かかる部位がストラップ用の穴部のみの用途としてしか構成することができず、さらなる小型化を図ることができない、という問題が生じる。
【００１０】
このため、本発明の目的は、上述した課題である、デザイン性と強度の向上を図ることができないことと、小型化を図ることができないことを解決することができる、携帯型電子機器を提供することをその目的とする。
【課題を解決するための手段】
【００１１】
本発明の一形態である携帯型電子機器は、
筺体と、
前記筺体に装着され、機器の最外面に位置するカバー部材と、を備えると共に、
所定の紐体を引っ掛ける引っ掛け部と、当該引っ掛け部に引っ掛けられた前記紐体を挿通可能な環状部と、が一体的に形成された紐体用フレームを、前記筺体に固定装備して前記カバー部材の内部に配置し、
前記カバー部材の周囲付近に、前記環状部が位置するよう前記紐体用フレームを配置すると共に、当該紐体用フレームの前記環状部に挿通された前記紐体を、前記カバー部材の周囲から外部に露出可能なよう構成した、
という構成をとる。
【００１２】
また、本発明の他の形態である携帯型電子機器の組み付け方法は、
筺体と、前記筺体に装着され機器の最外面に位置するカバー部材と、を備える携帯型電子機器の組み付け方法であって、
所定の紐体を引っ掛ける引っ掛け部と、当該引っ掛け部に引っ掛けられた前記紐体を挿通可能な環状部と、が一体的に形成された紐体用フレームを、当該紐体用フレームの前記環状部が前記カバー部材の周囲付近に位置するよう配置して、前記筺体に固定装備し、
前記紐体用フレームが前記カバー部材の内部に位置するよう当該カバー部材を前記筺体に装着する、
という構成をとる。
【発明の効果】
【００１３】
本発明は、以上のように構成されることにより、デザイン性と強度の向上と、小型化を図ることができる携帯型電子機器を提供することができる。
【図面の簡単な説明】
【００１４】
【図１】本発明に関連する携帯型電子機器の構成を示す６面図である。
【図２】図１に開示した携帯型電子機器の斜視図と、ストラップ部の拡大図である。
【図３】図１に開示した携帯型電子機器の電池カバーを外した状態の斜視図と、ストラップ部の拡大図である。
【図４】図１に開示した携帯型電子機器のストラップ部の断面図である。
【図５】図４に開示したストラップ部断面の拡大図である。
【図６】本発明における携帯型電子機器の構成を示す６面図である。
【図７】図６に開示した携帯型電子機器の斜視図と、ストラップ部の拡大図である。
【図８】図６に開示した携帯型電子機器の電池カバーを外した状態の斜視図と、ストラップ部の拡大図である。
【図９】図６に開示した携帯型電子機器の電池カバー及びバンパーを外した状態の斜視図と、ストラップ部の拡大図である。
【図１０】図９に開示した携帯型電子機器のストラップフレームを外した状態の斜視図と、ストラップ部の拡大図である。
【図１１】図１０に開示した携帯型電子機器のアンテナを外した状態の斜視図と、ストラップ部の拡大図である。
【図１２】図６に開示した携帯型電子機器のストラップ部の縦横の断面図である。
【図１３】図１２に開示したストラップ部断面のａ部分の拡大図である。
【図１４】図１２に開示したストラップ部断面のｂ部分の拡大図である。
【図１５】図１３に開示したストラップ部にストラップの紐を通すときの様子を示す図である。
【図１６】図１６（Ａ）に本発明における携帯型電子機器のストラップ部の断面図を示し、図１６（Ｂ）に本発明に関連する他の携帯型電子機器のストラップ部の断面図を示す。
【図１７】図９に開示したストラップフレームの構成を示す斜視図と６面図である。
【発明を実施するための形態】
【００１５】
＜実施形態１＞
本発明の第１の実施形態を、図６乃至１７を参照して説明する。まず、図６は、本実施形態における携帯型電子機器である携帯電話機の構成を示す６面図であり、図７は、斜視図である。
【００１６】
本実施形態における携帯電話機は、後述する図１３に示すように、フロントケース１０とリアケース２０となる筐体を備えている。そして、携帯電話機の裏面側には、リアケース２０のさらに外側である最外面に位置する電池カバー３０（カバー部材）とバンパー４０（第２のカバー部材）とを備えている。具体的に、電池カバー３０は、携帯電話機の下端部分を除いて裏面側のほぼ全面を覆うよう形成されており、バンパー４０は、携帯電話機の下端側の側面と裏面側の一部を覆うよう形成されている。そして、電池カバー３０とバンパー４０とは、携帯電話機の下端側で隣接して配置されている。
【００１７】
そして、携帯電話機の背面側の一端（下端）には、ストラップを構成する紐（紐体）を引っ掛けるストラップ部が設けられており、図７にその拡大図を図示する。また、図８に、電池カバー３０を取り外したときのストラップ部の拡大図を示し、図９に、さらにバンパー４０を取り外したときのストラップ部の拡大図を示す。
【００１８】
図８及び図９に示すように、ストラップ部には、リアケース２０に搭載されたストラップフレーム５０（紐体用フレーム）を備えている（斜線部分参照）。ここで図１７に、ストラップフレーム５０の斜視図と６面図を示す。ストラップフレーム５０は、後述するように、ストラップである紐を引っ掛ける突起物であるリブ５１（引っ掛け部）と、内部に紐を挿通可能な穴を形成した環状つまりアーチ形状のアーチリブ５２（環状部）と、を備え、一体的に形成されている。このストラップフレーム５０は、例えば、材料にPA-GF45％を使用しており、小さなフレームでも十分な強度を確保している。
【００１９】
また、ストラップフレーム５０は、図９や図１７に示すように、周囲にネジ部５３と係止部５４とを有している。そして、ストラップフレーム５０は、図９に示すように、係止部５４がリアケース２０に形成された嵌合爪部２１に引っ掛けられた状態で、ネジ部５３がネジ５３ａでリアケース２０に共締めされる。これにより、ストラップフレーム５０は、リアケース２０に対して圧着固定される。なお、上記ネジ５３ａは、図１４に示すように、筐体つまりフロントケース１０とリアケース２０とを固定するためのネジと兼用され、これにより、携帯電話機内部のスペースを有効活用することができる。
【００２０】
ここで、ストラップ部の拡大断面図を図１３及び図１４に示す。図１３に示すように、ストラップフレーム５０は、アーチリブ５２が電池カバー３０の下端側の周囲付近に位置するよう配置され、リアケース２０に固定される。換言すると、ストラップフレーム５０は、図８に示すように、バンパー４０の周囲に隣接する箇所にアーチリブ５２が位置するよう配置される。このとき、ストラップフレーム５０は、図８に示すように、アーチリブ５２の貫通孔が電池カバー３０の外側、つまり隣接するバンパー４０側、に向かうよう配置される。これに伴い、アーチリブ５２に隣接するバンパー４０の周囲箇所には、凹状の切り欠き部４１が形成されている。これにより、後述するように、アーチリブ５２に挿通されたストラップである紐が、バンパー４０に形成された切り欠き部４１を通過して、電池カバー３０の周囲から外部に露出可能となる。
【００２１】
また、上記ストラップフレーム５０は、ストラップを取り付ける機能を果たすだけでなく、アンテナのバネ接触部を押さえる機能も有する。ここで、図１０に、上述したストラップフレーム５０を取り外したときの構成を示す。この図とストラップ部の拡大断面図である図１３及び図１４に示すように、ストラップフレーム５０とリアケース２０との間には、アンテナ６０が介挿されている。そして、アンテナ６０は、防水両面テープ６１（防水シール部材）によってリアケース２０に固着されている。
【００２２】
また、上記アンテナ６０及び防水両面テープ６１を取り外したときの構成を図１１に示す。この図に示すように、リアケース２０のストラップフレーム５０及びアンテナ６０が配置される箇所には、筐体内部に通ずる貫通孔２２（アンテナ接点用穴部）が形成されている。そして、図１３に示すように、筐体内部には基板７０が収容されており、この基板７０に接続されたアンテナ用接続バネ７１（アンテナ接点）が、リアケース２０の貫通孔２２から当該リアケース２０の外部に露出している。このとき、アンテナ用接続バネ７１は、先端がリアケース２０の表面よりも突出して露出している。
【００２３】
上述した構造において、上記アンテナ６０をリアケース２０の貫通孔２２の形成箇所に配置しているため、当該貫通孔２２から突出してアンテナ用接続バネ７１とアンテナ６０とが接続されることとなる。特に、アンテナ６０は、リアフレーム２０と、当該リアフレーム２０にネジ５３ａによって圧着固定されているストラップフレーム５０と、に挟まれているため、確実にアンテナ６０とアンテナ用接続バネ７１とを電気的に接続することができる。さらに、アンテナ６０と貫通孔２０の周囲との間には、防水両面テープ６１が配置されているため、ストラップフレーム５０側から筺体つまりリアケース２０の内部に液体が流入することを防止することができる。
【００２４】
なお、上記では、ストラップフレーム５０にてアンテナ６０を押さえる構成を説明しているが、アンテナ以外の他の部品をストラップフレーム５０で押さえてもよい。また、上記防水両面テープ６１は、防水シール部材であれば粘着性を有するテープであることに限定されない。
【００２５】
次に、上述した構成の携帯電話機にストラップを取り付ける時の動作を、図１５及び図１６を参照して説明する。まず、図１５（Ａ），（Ｂ）に示すように、電池カバー３０を外した状態で、ストラップフレーム５０のアーチリブ５２の貫通孔にストラップを外側から挿通させる。そして、図１５（Ｃ）に示すように、ストラップの環状部分をストラップフレーム５０のリブ５１に引っ掛ける。その後、図１６（Ａ）に示すように、電池カバー３０をリアケース２０に装着する。
【００２６】
これにより、ストラップは、一端側は携帯電話機の内部でアーチリブ５２に引っ掛けられた状態であり、他端側は、バンパー４０の切欠き部４１から外部に露出された状態となる。このとき、図１６（Ａ）に示すように、ストラップが電池カバー３０の方向に引っ張られたとしても、アーチリブ５２の存在により、ストラップが電池カバー３０を押し上げることがない。一方で、本発明における構造のようにアーチリブ５２を備えた構造ではない携帯電話機の場合には、図１６（Ｂ）に示すように、ストラップが電池カバーを矢印方向に押し上げて当該電池カバー３０が外れてしまう、ということが生じうる。このため、上述した本願発明の構成は有益である。
【００２７】
そして特に、本発明の携帯電話機では、電池カバー３０などの内部にアーチリブ５２を設けており、外観部品であるバンパー４０には切り欠き部４１のみを設けて構成している。従って、アーチリブ５２部分を肉厚に形成して強度の向上を図りつつ、電池カバー３０の肉厚を薄く形成することができ、デザイン性の向上や薄型化を図ることができる。
【００２８】
また、ストラップフレーム５０は、アンテナ６０をアンテナ用接続バネ７１に押さえつける機能も有しており、部品点数を減少させるなど携帯電話機の小型化を図ることができる。このとき、上述した防水両面テープ６１により、防水性が向上し、携帯電話機の信頼性の向上を図ることができる。
【００２９】
＜付記＞
上記実施形態の一部又は全部は、以下の付記のようにも記載されうる。以下、本発明における携帯型電子機器、その組み付け方法の構成の概略を説明する。但し、本発明は、以下の構成に限定されない。
【００３０】
（付記１）
筺体と、
前記筺体に装着され、機器の最外面に位置するカバー部材と、を備えると共に、
所定の紐体を引っ掛ける引っ掛け部と、当該引っ掛け部に引っ掛けられた前記紐体を挿通可能な環状部と、が一体的に形成された紐体用フレームを、前記筺体に固定装備して前記カバー部材の内部に配置し、
前記カバー部材の周囲付近に、前記環状部が位置するよう前記紐体用フレームを配置すると共に、当該紐体用フレームの前記環状部に挿通された前記紐体を、前記カバー部材の周囲から外部に露出可能なよう構成した、
携帯型電子機器。
【００３１】
（付記２）
付記１に記載の携帯型電子機器であって、
前記カバー部材に隣接して前記筺体に装着される第２のカバー部材を備え、
前記紐体用フレームの前記環状部が位置する前記カバー部材の周囲箇所に隣接する前記第２のカバー部材の周囲箇所に、前記紐体が挿通される切り欠き部を形成した、
携帯型電子機器。
【００３２】
（付記３）
付記１又は２に記載の携帯型電子機器であって、
前記紐体用フレームと前記筺体との間に所定の部品を介挿して、前記紐体用フレームを前記筺体に固定装備した、
携帯型電子機器。
【００３３】
（付記４）
付記３に記載の携帯型電子機器であって、
前記筐体の内部に収容された基板に接続されたアンテナ接点を前記筺体の外部に露出させるアンテナ接点用穴部を、当該筺体に形成すると共に、
前記紐体用フレームと、前記筺体の前記アンテナ接点用穴部の形成箇所と、の間にアンテナを介挿して前記紐体用フレームを前記筺体に固定装備することで、前記筺体の前記アンテナ接点用穴部から露出された前記アンテナ接点と前記アンテナとを接続するよう構成した、
携帯型電子機器。
【００３４】
（付記５）
付記４に記載の携帯型電子機器であって、
前記筺体の前記アンテナ接点用穴部の形成箇所の周囲と前記アンテナとの間に、防水シール部材を設けた、
携帯型電子機器。
【００３５】
（付記６）
付記３乃至５のいずれかに記載の携帯型電子機器であって、
前記紐体用フレームを前記筺体に対して圧着固定した、
携帯型電子機器。
【００３６】
（付記７）
筺体と、前記筺体に装着され機器の最外面に位置するカバー部材と、を備える携帯型電子機器の組み付け方法であって、
所定の紐体を引っ掛ける引っ掛け部と、当該引っ掛け部に引っ掛けられた前記紐体を挿通可能な環状部と、が一体的に形成された紐体用フレームを、当該紐体用フレームの前記環状部が前記カバー部材の周囲付近に位置するよう配置して、前記筺体に固定装備し、
前記紐体用フレームが前記カバー部材の内部に位置するよう当該カバー部材を前記筺体に装着する、
携帯型電子機器の組み付け方法。
【００３７】
（付記８）
付記７に記載の携帯型電子機器の組み付け方法であって、
前記紐体用フレームと前記筺体との間に所定の部品を介挿して、前記紐体用フレームを前記筺体に固定装備する、
携帯型電子機器の組み付け方法。
【００３８】
（付記９）
付記８に記載の携帯型電子機器の組み付け方法であって、
前記筐体の内部に収容された基板に接続されたアンテナ接点を、前記筺体に形成されたアンテナ接点用穴部から外部に露出させ、
前記紐体用フレームと、前記筺体の前記アンテナ接点用穴部の形成箇所と、の間にアンテナを介挿して、前記紐体用フレームを前記筺体に固定装備することで、前記筺体の前記アンテナ接点用穴部から露出された前記アンテナ接点と前記アンテナとを接続する、
携帯型電子機器の組み付け方法。
【００３９】
（付記１０）
付記９に記載の携帯型電子機器の組み付け方法であって、
前記紐体用フレームと、前記筺体の前記アンテナ接点用穴部の形成箇所と、の間にアンテナを介挿すると共に、前記筺体の前記アンテナ接点用穴部の形成箇所の周囲と前記アンテナとの間に防水シール部材を介挿して、前記紐体用フレームを前記筺体に固定装備する、
携帯型電子機器の組み付け方法。
【００４０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４１】
１０  フロントケース
２０  リアケース
２１  嵌合爪部
２２  貫通孔
３０  電池カバー
４０  バンパー
４１  切り欠き部
５０  ストラップフレーム
５１  リブ
５２  亜知リブ
５３  ネジ部
５４  係止部
５３ａ  ネジ
６０  アンテナ
６１  防水両面テープ
７０  基板
７１  アンテナ用接続バネ
【図１】
2014099787.tif 000003
【図２】
2014099787.tif 000004
【図３】
2014099787.tif 000005
【図４】
2014099787.tif 000006
【図５】
2014099787.tif 000007
【図６】
2014099787.tif 000008
【図７】
2014099787.tif 000009
【図８】
2014099787.tif 000010
【図９】
2014099787.tif 000011
【図１０】
2014099787.tif 000012
【図１１】
2014099787.tif 000013
【図１２】
2014099787.tif 000014
【図１３】
2014099787.tif 000015
【図１４】
2014099787.tif 000016
【図１５】
2014099787.tif 000017
【図１６】
2014099787.tif 000018
【図１７】
2014099787.tif 000019